Podtech/llm-jp-corpus-v4-ja_patent huggingface dataset:
(57)【要約】      （修正有）【課題】家屋やアパートなどの内部環境の露出を避けてプライバシーを保護できる、バルコニー用のテントを提供する。【解決手段】折りたたみ式フレームＡ−３をバルコニーの四隅に展開し、前足Ｂ−１を手摺に取り付けたファスナーＡ−４に係止する。折りたたみフレームＡ−３の上に、テントシートＡ−２をかぶせる。【選択図】図１
2013227831.tif 000002
【特許請求の範囲】
【請求項１】
アイデアは、一階のアパートに住んでいる私のプライバシーを失い、私は、上記のバルコニーに何かを残すことができないことを認識するようになりました。
【請求項２】
本発明は、あなたの家とかアパートなどの内部環境のろしゅつを避けてあなたのプライパシーを保護する為にもたらすことを目的して主に作成されました。
【請求項３】
しかし、私は効果的にこの問題を解決することができるいくつかの材料や製品を試してみました、利用可能な同様のものはありませんことに気づいた。
【請求項４】
私は販売のための同じようなものがあった場合、私は確かにそれを買うでしょう。したがって、効率的であることが判明されていない製品として、私は自分の製品を設計し、開発することを決め。
【発明の詳細な説明】
【技術分野】
【０００１】      本発明は、あなたの家とかアパートなどの内部環境のろしゅつを避けてあなたのプライバシーを保護する為にもたらすことを目的して主に作成されました。
【背景技術】
【０００２】      アイデアは、一階のアパートに住んでいる私のプライバシーを失い、私は、上記のバルコニーに何かを残すことができないことを認識するようになりました。【０００３】      しかし、私は効果的にこの問題を解決することができるいくつかの材料や製品を試してみました、利用可能な同様のものはありませんことに気づいた。【０００４】      私は販売のための同じようなものがあった場合、私は確かにそれを買ってほしい。したがって、効率的であることが判明されていない製品として、私は自分の製品を設計し、開発することを決め。
【発明の概要】
【発明が解決しようとする課題】      本発明は、あなたの家とかアパートなどの内部環境の露出を避けて、あなたのプライバシーを保護をもたらすことを目的に作成されました。また、製品は、あらゆる不足の事態を回避している時に服が乾燥して保護します。具発的な効果に対する保護、ペットに落下しないように保護することができます。天気とにもつを保護をします。虫入らないようにも。そしたら、このバルコニーのテントを使ったら、アパートのバルコニーのドアーがあいたままになる為、より風投資のよい空気の循環とその結果センプキとエアーコンのしように必要であることができない為夏には、年間の暖かい時期にはいくつかの電力かをえことができます。
【発明を実施するための形態】
【実施例１】      ［アパートのベランダに］
１−アパートのドアの外側の全体の長さ（上と下、右と左）にＡ−１を貼り付けてください［図１］。
２−バルコニーの前面たんに二つのＡ−４を添付する［図１］。
３−バルコニーにＡ−２を展開する。そのＡ−２に（展開知ったのあと）解説があります、それはバルコニーのテントのドアーです。
４−Ａ−３は、Ａ−２の解説の中に入れてください。あと、Ａ−３はＡ−２の全体の長さに開けてください［図１］。
５−Ｂ−１とＢ−２は、Ｂ−２の中から、取り付けてください［図２］。あと、テントのシートは上にひぱって、全部をかぶせてください［図３］。
６−Ａ−３は押し上げて、Ｂ−１とＢ−２が長くなります。後ろの二つの足も同じの長さになります。従って、全体の木材はテントの中に収まる必要あまりす［図４］。
７−アパートのベランダのドアーとテントのドアーを合わせて、Ａ−１を両側にさんかしてください。もし、アパートのベランダのドアーとテントのドアーの合わせるできなかったら、顧客が望んでいる場合は、開け閉すめするのは、このテントのエリアにジッパーを使用するオプションがあります。窓の解説にもジッパーと保護スクリンがありますので、お好きな時いに開け閉もめもできます［図４］。
木材は、勝って丘テント内部からでなければなりません。
【実施例２】      家の裏庭に：
１−ドアーの外側の全体の長さ（上と下、右と左）にＡ−１を貼り付けてください。
２−Ａ−２を展開する。そのＡ−２に（展開知ったのあと）解説があります、それはテントのドアーです。
３−Ａ−３は、Ａ−２の解説の中に入れてください。あと、Ａ−３はＡ−２の全体の長さに開けてください。
４−この使う方は、たぶんＡ４無駄がありません。そしたら、この書類の為に、小さな悔い（Ａ−５）とロープ（Ａ−６）があります。それはテントを設定するオプションです。Ａ−５とＡ−６一緒できますように、Ａ−６だけもできます。そのＡ−６だのけの使う方はＢ−３に取り付けったら縛ることができます。
５−Ａ−３は押し上げて、Ｂ−１とＢ−２が長くなります。後ろの二つの足も同じの長さになります。従って、全体の木材はテントの中に収まる必要あまりす。
６−アパートのベランダのドアーとテントのドアーを合わせて、Ａ−１を両側にさんかしてください。もし、アパートのベランダのドアーとテントのドアーの合わせるできなかったら、顧客が望んでいる場合は、開け閉すめするのは、このテントのエリアにジッパーを使用するオプションがあります。窓の解説にもジッパーと保護スクリンがありますので、お好きな時いに、開け閉もめもできます。
木材は、勝って丘テント内部からでなければなりません。
【図面の簡単な説明】
【図１】ＤＥＴＡＩＬ  Ａ−ベランダに部品取り付ける。
【図２】ＤＥＴＡＩＬ  Ｂ−折りたたみ式フレームを開ける方。
【図３】ＤＥＴＡＩＬ  Ｃ−テントのシートの形、足を開ける方，押し上げる前。
【図４】ＤＥＴＡＩＬ  Ｆ−バルコニのテントの形。
【符号の説明】  Ａ−１−ベルクロ両面。
Ａ−２−テントのシート。
Ａ−３−折りたたみ式フレーム。
Ａ−４−ファスナー。
Ａ−５−小さな悔い
Ａ−６−ロープ
Ｂ−１−前足。
Ｂ−２−穴。
Ｂ−３−足の下の穴。
Ｂ−４−ジッパー。
Ｂ−５−保護スクリン。
［提出物件の目録］
［バルコニーのテント］    特許請求の範囲
［バルコニーのテント］
［明細書］本発明は、ふつうのテントでありません。バルコニー、アパートのベランダ、家の裏庭にも取り付けることができます。
［バルコニーのテント］［要約書］
本発明は、あなたの家とかアパートなどの内部環境の露出を避けて、あなたのプライバシーを保護をもたらすことを目的に作成されました。また、製品は、あらゆる不足の事態を回避している時に服が乾燥して保護します。具発的な効果に対する保護、ペットに落下しないように保護することができます。天気とにもつを保護をします。虫入らないようにも。そしたら、このバルコニーのテントを使ったら、アパートのバルコニーのドアーがあいたままになる為、より風投資のよい空気の循環とその結果センプキとエアーコンのしように必要であることができない為夏には、年間の暖かい時期にはいくつかの電力かをえことができます。
［バルコニーのテント］［図４］
【図１】
2013227831.tif 000003
【図２】
2013227831.tif 000004
【図３】
2013227831.tif 000005
【図４】
2013227831.tif 000006
(57)【要約】【課題】豪雪地方の屋根上の積雪を自動的に簡単に降雪する。【解決手段】複雑な形の屋根に合わせたシートを自動的に自由に屋根に張ったり、収納したり出来る装置。【選択図】図１
2013227833.tif 000002
【特許請求の範囲】
【請求項１】
屋根の形に合わせた屋根面積と同じ大きさのシートを作り、そのシート上部を数本のワイヤーで吊るすことが出来シートの下部は軒先にあるローラーの上部を通り軒下のシートケースに収納出来る形態で屋根全体にシートを広げ蓄雪させ、適量に積った雪をシートを収納ケースに巻き込むことで降雪することが出来る装置。
【発明の詳細な説明】
【技術分野】
【０００１】屋根上の積雪を自動的に降ろすことが出来る装置。
【背景技術】
【０００２】日本の豪雪地方では、年々過疎が進み屋根上の雪降ろしが人手不足で大変になっている。自動的に降雪が出来る装置が必要である。
【発明の開示】
【発明が解決しようとする課題】
【０００３】日本家屋の屋根の形状は何種類かあり、そのため自動的に降雪する装置を設置することが、考えられていなかった。屋根上に、その屋根の形に合った装置を設置して、ある程度積雪したら、自動的に降雪できる装置を作る。
【課題を解決するための手段】
【０００４】屋根の形のシートを作り、上部を数本のワイヤーで吊るし、そのワイヤーは屋根上部のケースに巻き取る様になっていて伸びると軒先までの長さがある。【０００５】シートの下部は軒先下のケースにシート全体を巻き取ることができるようになっている。【０００６】軒先にシートを滑らせるローラー状の棒を軒先の幅分つけてある。【０００７】屋根上部のワイヤーを巻き上げると、屋根全体にシートが広がる。この状態で積雪を受け、ある程度の雪量の時、下部にシートをまき下げることで降雪できる。
【発明効果】
【０００８】屋根上のシートの移動により降雪ができ、シーズンオフには軒先下部に収納することで、シートの劣化を防ぎまた家屋の景観を損なわない。
【発明を実施するための最良の形態】
【０００９】以下、本発明の実施の形態を図１に基づいて説明する。【００１０】１図においては、１は建物で２は屋根である。屋根上部に４のワイヤーケースを設置する。ワイヤーケースの中に５のワイヤーを巻き取ることができワイヤーの先端を６のシートに結び付けてあり、シートは屋根の形になっている。【００１１】シートの下部は３の軒先の所に付けてある８のローラーの上部を通り７のシートケースに巻き取る様になっている。９のサブローラーはシート移動を簡単にするためである。【００１２】冬期の積雪予想時に５のワイヤーを４のワイヤーケースに巻き上げると６のシートが屋根全体に広がる。ある程度積雪時にワイヤーを弛めシートをシートケースにもどす動作をすることで降雪できる。降雪後またワイヤーを巻きもどしシートを屋根上に張る。
【実施例】
【００１３】図１の形態で降雪をする。
【産業上の利用の可能性】
【００１４】いま日本の豪雪地方で過疎化が進み降雪作業が大変で毎年人身事故が起きている。屋根の形が複雑でもあり、本発明のシート形態だと適正に対応でき、シーズンオフにはシートをケースに収納することで劣化をふせぎ景観的にもよい。産業の利用は大である。
【図面の簡単な説明】
【００１５】
【図１】本発明の降雪装置の断面図
【００１６】１  建物
２  屋根
３  軒先
４  ワイヤーケース
５  ワイヤー
６  シート
７  シートケース
８  ローラー
９  サブローラー
【図１】
2013227833.tif 000003
(57)【要約】【課題】  この発明の課題は、入浴するだけで、雑菌などを取り除くことができ、洗い流す必要がなく、飲んでしまったとしも、ペットの健康に悪影響を与える心配もないペット用入浴剤を提供することである。【解決手段】  入浴剤には、ムラサキオモトの葉、茎、苞などから抽出したムラサキオモトエキスを含有したことを特徴とする。【選択図】  図１
2013227236.tif 000002
【特許請求の範囲】
【請求項１】
ムラサキオモトから抽出したムラサキオモトエキスを含有したペット用入浴剤。
【請求項２】
上記ムラサキオモトエキスにはアントシアニジンを含む請求項１に記載のペット用入浴剤。
【発明の詳細な説明】
【技術分野】
【０００１】
この発明は、ペット用入浴剤に関する。
【背景技術】
【０００２】
犬や猫などのペットを清潔に保つために、専用の洗浄剤などが開発されている（特許文献１参照）。最近では、犬や猫を室内で飼うことも多く、このように室内で飼う場合には、特に、清潔にしなければならない。泥などの汚れだけでなく、ペットにダニやのみ類のほかさまざまな細菌類が付着していれば、匂いの原因にもなるし、人の健康にも悪影響を及ぼすことが考えられる。
洗浄剤としての成分には様々なものがあるが、その洗い方は、人の洗髪と同様で、水や湯などで予洗いした毛に洗浄剤をつけて泡を立てながらペットの全身の毛や皮膚を擦り洗いしてから、シャワーで洗浄剤を流すという方法がほとんどである。
【先行技術文献】
【特許文献】
【０００３】
【特許文献１】特開２００３−２９２９９１号公報
【特許文献２】特開２００８−２５９４３８号公報
【発明の概要】
【発明が解決しようとする課題】
【０００４】
しかし、泡立てた洗浄剤で全身を洗浄している間、犬や猫などをおとなしくじっとさせておくことは難しく、特に大型のペットの場合には、洗浄作業は飼い主にとって重労働である。そのために、特許文献２に示すような洗浄装置も知られている。
しかし、このような特別な装置がなければ、ペットの洗浄のために、室内を水浸しにしてしまったり、ときには洗浄剤や汚れを十分に落としきれなかったりすることがある。
また、ペットが、界面活性剤などを多く含んだ洗浄剤を飲み込んでしまうと、それが原因で下痢をしてしまうようなこともあった。
この発明の目的は、入浴するだけで、雑菌などを取り除くことができ、洗い流す必要がなく、仮に飲んでしまったとしても、ペットの健康に悪影響を与える心配もないペット用入浴剤を提供することである。
【課題を解決するための手段】
【０００５】
第１の発明のペット用入浴剤は、ムラサキオモトから抽出したムラサキオモトエキスを含有したことを特徴とする。
第２の発明は、アントシアニジンを含んだことを特徴とする。
【発明の効果】
【０００６】
この発明によれば、ペットを入浴させることで雑菌の繁殖の抑制及び除去ができるので、ペットの皮膚や毛を清浄に保つことができる。特に、泥汚れなど汚れが激しいときには、軽く洗い流してから入浴させれば、ペットをより簡単により清潔に保つことができる。
また、この発明の入浴剤のムラサキオモトエキスには、殺菌や整腸作用を発揮する成分が含まれているため、入浴中にペットが入浴剤を飲んでしまったとしても、腹痛や下痢を起こしたりする心配はない。
【０００７】
また、ムラサキオモトエキスが皮膚や毛に残っていても、皮膚がかぶれるなどの問題はない。そのため、入浴後に入浴剤を洗い流す必要はないことはもちろん、体についた入浴剤を完全に拭きとる必要もない。従って、飼い主の作業は非常に楽になる。
特に第２の発明によれば、入浴剤中のアントシアニジンによる抗酸化作用が期待できる。
【図面の簡単な説明】
【０００８】
【図１】図１はこの発明のペット用入浴剤の製造手順を示した流れ図である。
【発明を実施するための形態】
【０００９】
この発明のペット用入浴剤は、ムラサキオモトから抽出したムラサキオモトエキスを含んだものである。
その入浴剤の製造手順は、図１に示す通りである。
まず、収穫したムラサキオモトの葉を水洗する第１工程、水洗した葉をみじん切りにする第２工程、みじん切りにした葉を圧搾する第３工程、抽出したエキスをろ過してろ液を収集する第４工程とからなる。
上記第４工程で収集したろ液である抽出エキスは、そのまま液状の入浴剤となる。
【００１０】
この入浴剤を、浴槽にはった水あるいは湯に添加してペットを入浴させることができる。
この実施形態の入浴剤はムラサキオモトエキスを含有しているが、このムラサキオモトエキスには殺菌効果や整腸作用があることは知られている。
例えば、ムラサキオモトの原産地では古くから、ムラサキオモトの葉の汁が下痢止めとして利用できることが知られていたし、近年ではわが国でも下痢止め用の薬剤にムラサキオモトエキスを含有したものがある。
【００１１】
このようなムラサキオモトエキスを含有した入浴剤を用いれば、ペットは入浴するだけで皮膚や毛を清浄に保つことができる。また、皮膚に傷や虫さされ跡などがあったとしても、この入浴剤によって雑菌の繁殖を防ぐことができるので傷も早く治る。
【００１２】
また、上記ムラサキオモトエキスは、上記したように、もともと下痢止めに利用されるような成分なので、ペットが入浴剤を飲んでしまったとしても、おなかをこわすことはない。もちろん、浴槽内の湯水にはペット自身の汚れが含まれているので、飼い主は、ペットが湯水を多量に飲まないように気をつけることは必要である。
さらに、ムラサキオモトの葉や苞の紫色はアントシアニジンによるものであるが、このアントシアニジンには抗酸化作用がある。
【００１３】
そのため、ペットはこの入浴剤を飲んだ場合、血行が良くなったり、代謝が良くなったりするなど、アントシアニジンを服用したときの効果が期待される。また、体表面に付着したアントシアニジンによって皮膚や毛が紫外線によって受けるダメージを低減することも期待できる。
【００１４】
なお、この実施形態では、ムラサキオモトの葉を原料としてムラサキオモトエキスを抽出しているが、原料としては葉だけでなく紫色の苞や茎を一緒に用いてもよい。紫色が濃いほど、アントシアニジンの含有量は多くなる。
また、図１の第４工程の後に、香料や色素を添加する添加物付加工程を設けてもよい。この添加物付加工程で添加する香料などは、食品に用いるものであるが、香りや色によって入浴によるリラックス効果を上げることができる。
さらに、上記第４工程で収集した液状のエキスを粉末化して粉末の入浴剤とするなど、入浴剤の形は特に限定されない。
【産業上の利用可能性】
【００１５】
この発明の入浴剤は、さまざまなペットの入浴に利用可能で、皮膚を清浄に保つために有用である。
【図１】
2013227236.tif 000003
(57)【要約】      （修正有）【課題】従来の防寒具（手袋）は、布製・革製・ビニール製などの保温性の低いものであり、防寒具を２枚，３枚と重ねても、長時間の寒中作業においては、防寒作用に限界があり、より防寒作用の高い手袋を提供する。【解決手段】布製又は、革製の手袋の周りに電気熱線１をはりめぐらせ、ボタン電池４で電源を供給し、強・中・弱・ＯＦＦのスイッチ２、雨天、雪天時のプラスチックカバー３を有することで、長時間にわたり、寒中時の作業が可能となり、オートバイ乗りの人にとっても保温性の高いハンドウオーマー。【選択図】図２
2013227682.tif 000002
【特許請求の範囲】
【請求項１】
布又は革製の手袋に熱線を通す。
【請求項２】
及びボタン電池。
【発明の詳細な説明】
【技術分野】
【０００１】  本発明は、全人口の防寒具に関する。
【背景技術】
【０００２】従来の防寒具（手）には、布・革・ビニール製ｅｔｃ，の手袋がある。
【先行技術文献】
【特許文献】
【０００３】
【特許文献１】
【非特許文献】
【０００４】
【非特許文献１】
【発明の概要】
【発明が解決しようとする課題】
【０００５】寒中時に作業がなかなかはかどらなかった。【０００６】オートバイ乗りの人が信号待ちで両手をクランクケースに当てていた。
【課題を解決するための手段】
【０００７】手袋に熱線をはりめぐらせる。
【発明の効果】
【０００８】長時間の寒中時作業の可能化。
【図面の簡単な説明】
【０００９】
【図１】本発明のハンドウォーマーの表面図
【図２】本発明のハンドウォーマーの内側図
【発明を実施するための形態】
【００１０】本発明の実施の形態を図１に基づいて説明する。
【００１１】１は熱線，２はスイッチ，３はプラスチックカバー，▲４▼はボタン電池
【産業上の利用可能性】
【００１２】世界中に普及する。
【符号の説明】
【００１３】１    電気熱線
２    強・中・弱・ＯＦＦのスイッチ
３    雨天，雪天時の為のプラスチックカバー
４    ボタン電池
【図１】
2013227682.tif 000003
【図２】
2013227682.tif 000004
(57)【要約】【課題】  本発明は、柄の上端に取手を設け、柄の下端部に掘削部、および、排土板を、柄を巻いて螺旋状に溶接した深堀鍬で、畑などで局所的に深く掘り下げたいときに掘削、排土を行うことができる深堀鍬を提供する。【解決手段】  柄（５）の上端に取手（６）を設け、柄（５）の下端部に刃（１）、排土保持板（４）、および、排土板（２）、排土板の末端（３）を螺旋状に設けたことを特徴とする深堀鍬。【選択図】図１
2013138664.tif 000002
【特許請求の範囲】
【請求項１】
柄（５）の上端に取手（６）を設け、柄（５）の下端部に刃（１）、排土保持板（４）、および、排土板（２）、排土板の末端（３）を螺旋状に設けたことを特徴とする深堀鍬。
【発明の詳細な説明】
【技術分野】
【０００１】  本発明は、柄の上端に取手を設け、柄の下端部に掘削部、および、排土板を、柄を巻いて螺旋状に溶接した深堀鍬で、畑などで局所的に深く掘り下げたいときに掘削、排土を行うことができる深堀鍬に関するものである。
【背景技術】
【０００２】  従来、鍬やシャベル等で掘り下げていたが、無駄な労力を要し、非効率であった。
【発明の概要】
【発明が解決しようとする課題】
【０００３】  従来、鍬やシャベルでは部分的に小範囲を掘り下げることは不可能で、労力、時間ともに非能率であった。
【課題を解決するための手段】
【０００４】  柄（５）の上端に取手（６）を設け、柄（５）の下端部に刃（１）、排土保持板（４）、および、排土板（２）、排土板の末端（３）を螺旋状に設ける。
本発明は、以上のように構成された深堀鍬である。
【発明の効果】
【０００５】  本発明は、本鍬を掘削地点に押圧し、刃の向きに回転させれば掘削して、その土を排土板に載せることになり鍬を上に引き上げれば土を排出できる。
部分的掘削が可能になり、労力軽減と共に作業時間の短縮で能率を上げることができる効果がある。
【図面の簡単な説明】
【０００６】
【図１】  本発明の正面図である。
【図２】  本発明の座面図である。
【発明を実施するための形態】
【０００７】  柄（５）の上端に取手（６）を設ける。
柄（５）の下端部に刃（１）、排土保持板（４）、および、排土板（２）、排土板の末端（３）を螺旋状に設ける。
排土板は柄を巻いて螺旋状に上へ上がる。
本発明は、以上のように構成された深堀鍬である。
それゆえ、回転によって刃で掘削した土は排土板上を上へ移動し、鍬を引き上げれば排土ができる。
土が固くて掘削困難な場合は、あらかじめ突き鍬で土を突き崩して後、本鍬で排土を行えばよい。
本発明は以上のように構成された深堀鍬である。
【符号の説明】
【０００８】１  刃
２  排土板
３  排土板の末端
４  排土保持板
５  柄
６  取手
【図１】
2013138664.tif 000003
【図２】
2013138664.tif 000004
(57)【要約】      （修正有）【課題】犬の散歩をするとき、汚物処理を不快感なく簡単に掴み取ることができるように、柄の先端の下部の受け具に袋状ペーパーを取り付けたことを特徴とする犬の糞取り器を提供する。【解決手段】取っ手１に、手元レバー２、ストッパー３を設け、取っ手に、引張ワイヤー４、可動スプリング５、柄６を設け、柄の先端の受け具７に袋状ペーパー８を取り付け、汚物を簡単に取ることを可能にした犬の糞取り器。【選択図】図１
2013138665.tif 000002
【特許請求の範囲】
【請求項１】
取っ手（１）に、手元レバー（２）、ストッパー（３）を設け、取っ手（１）に、引張ワイヤー（４）、可動スプリング（５）、柄（６）を設け、柄（６）の先端の受け具（７）に袋状ペーパー（８）を取り付け、汚物を簡単に取ることを可能にした犬の糞取り器。
【発明の詳細な説明】
【技術分野】
【０００１】  本発明は、犬の散歩をするとき、汚物処理を不快感なく簡単に掴み取ることができるように、柄の先端の下部の受け具に袋状ペーパーを取り付けたことを特徴とする犬の糞取り器に関するものでる。
【背景技術】
【０００２】  従来、犬の散歩をするとき、汚物処理はビニールの袋等を使用するのが一般的であった。
たとえば、軽量で、小型犬から大型犬にいたるまでの、散歩中の犬の糞を簡便に処理することができる犬の糞取り器が提案されている（先行技術文献１参照）
片手操作で散歩途中の犬の糞を地面に落ちる前に水溶性の紙袋に収納し、この紙袋を下水に簡単に捨てられるようにし、また、これを抵抗なく持ち歩けるようにカバーを備えて、片手操作で紙袋を容易に出し入れできるようにする犬の糞取り器が提案されている。（先行技術文献２参照）
【先行技術】
【０００３】
【先行技術文献１】
特開２００３−３１００８４号公報
【先行技術文献２】
実開平５−６０２６２号公報
従来、汚物の上にテッシュペーパーをかけ市販の器具にて処理するのが一般的であった。
【発明の概要】
【発明が解決しようとする課題】
【０００４】  従来、犬の散歩に於いて、汚物処理はビニールの袋を手に嵌めて汚物の作業は悪臭に悩まされる欠点があった。
犬の散歩で、汚物処理はビ二ール等の袋で処理するのは、悪臭あり、不快感あり、で大変な作業であった。
【課題を解決するための手段】
【０００５】  取っ手（１）に、手元レバー（２）、ストッパー（３）を設け、取っ手（１）に、引張ワイヤー（４）、可動スプリング（５）、柄（６）を設け、柄（６）の先端の受け具（７）に袋状ペーパー（８）を取り付け、汚物を簡単に取ることを可能にした犬の糞取り器である。
【発明の効果】
【０００６】  従来、犬の散歩に於いて、汚物処理等は不快感なく、悪臭に悩まされず、安心して掴み取ることができる。
【図面の簡単な説明】
【図１】  本発明の使用状態を示した斜視図である。
【図２】  本発明の使用状態を示した斜視図である。
【図３】  本発明の説明図である。
【図４】  本発明の説明図である。
【図５】  本発明の説明図である。
【図６】  本発明の説明図である。
【発明を実施するための形態】
【０００７】  以下、本発明の実施の形態を説明する。
取っ手（１）に、手元レバー（２）、ストッパー（３）を設ける。
取っ手（１）に、引張ワイヤー（４）、可動スプリング（５）、柄（６）を設ける。
柄（６）の先端の下部に受け具（７）に袋状ペーパー（８）を取り付け、汚物を簡単に取ることを可能にした犬の糞取り器である。
本発明は以上のような構造である。
取っ手（１）と手元レバー（２）により可動スプリング（５）が作動して受け具（７）の開閉ができる。
本発明を使用するときは、取っ手（１）を持ち手元レバー（２）を少し引き受け具（７の間隔を調整して袋状ペーパー（８）を入れる。
汚物処理を完了したらストッパー（３）を引くトイレに汚物を落とすときは手元レバー（２）を引けば汚物は落下する。
【符号の説明】
【０００８】１  取っ手
２  手元レバー
３  ストッパー
４  引張ワイヤー
５  可動スプリング
６  柄
７  受け具
８  袋状ペーパー
【図１】
2013138665.tif 000003
【図２】
2013138665.tif 000004
【図３】
2013138665.tif 000005
【図４】
2013138665.tif 000006
【図５】
2013138665.tif 000007
【図６】
2013138665.tif 000008
(57)【要約】【課題】  購買者の好みに応じた模様列を刻設できる模様の加工方法を提供する【解決手段】  リング本体１の表面円周方向に連続的に刻設する複数種類の単位模様３を購買者に提示する模様提示プロセスと、この提示された単位模様を選択する選択プロセスと、この選択された単位模様を用いてリング本体の表面円周方向に模様列４を刻設するためトラック２の位置を特定するトラック位置特定プロセスと、選択された上記単位模様を所望のトラック上に模様列として連続的に刻設する加工プロセスとを実行する。【選択図】図１
2013138821.tif 000002
【特許請求の範囲】
【請求項１】
リング本体の表面円周方向に連続的に刻設する複数種類の単位模様を提示する模様提示プロセスと、
この提示された単位模様を選択する選択プロセスと、
この選択された単位模様を用いてリング本体の表面円周方向に模様列を刻設するためトラックの位置を特定するトラック位置特定プロセスと、
選択された上記単位模様を所望のトラック上に模様列として連続的に刻設する加工プロセスとを実行する指輪の模様の加工方法。
【発明の詳細な説明】
【技術分野】
【０００１】  この発明は、リング本体の表面円周方向に連続的な加工を施す指輪の模様の加工方法に関する。
【背景技術】
【０００２】  指輪のリング本体の表面円周方向に、ハートやダイヤなどの単位模様を連続的に刻設することが従来から知られている。
【先行技術文献】
【特許文献】
【０００３】
【特許文献１】  特開２００６−２３０６３２号公報
【発明の概要】
【発明が解決しようとする課題】
【０００４】  上記のようにしたリング本体の表面円周方向にハートやダイヤなどの単位模様を連続的に刻設する場合に、その単位模様のパターンがあらかじめ決められていたり、あるいはリング本体に模様列を刻設するトラックもあらかじめ決められていたりしていた。
そのために、当該指輪を購入する者は、自分の好みに応じた模様を選べないだけでなく、リング本体の円周上に形成する模様列のトラックの数や位置も選択できなかった。【０００５】  しかし、近年は、消費の個性化がますます進み、複数の模様の中から好みのものを選択し、しかも、模様列を刻設するトラックを１つにしたりあるいは複数にしたり、さらには、リング本体の両サイドだけに模様列を刻設したり、リング本体の表面中央だけに模様列を刻設したりといったいろいろな要望があり、購買者の要求が多岐にわたっている。【０００６】  ところが、従来は、購買者の多岐にわたる要求に応えることができず、購買者は、販売者から提供されるものを、そのまま受け入れざるを得ないというのが現実であった。
この発明の目的は、購買者が刻設する単位模様や模様列を刻設するトラックの位置を自由に選べるようにした指輪の模様の加工方法に関する。
【課題を解決するための手段】
【０００７】  この発明は、リング本体の表面円周方向に連続的に刻設する複数種類の単位模様を提示する模様提示プロセスと、この提示された単位模様を選択する選択プロセスと、この選択された模様を用いてリング本体の表面円周方向に模様列を刻設するためトラックの位置を特定するトラック位置特定プロセスと、選択された上記模様を所望のトラック上に模様列として連続的に刻設する加工プロセスとを実行する点に特徴を有する。
【発明の効果】
【０００８】  この発明の模様の加工方法によれば、購買者は提示された複数種類の単位模様の中から、好みの模様を選択することができる。しかも、選択した模様をリング本体の表面円周方向に連続的に刻設するとき、その模様列を刻設するトラックの位置も自由に選択することができる。【０００９】  また、上記単位模様の種類を多くすれば、模様列を刻設するトラックの位置の選択と相まって、リング本体の表面円周方向に連続的に刻設される模様形態の種類が飛躍的に増え、購買者には、好みに合った個性豊かな指輪を提供することができる。
【図面の簡単な説明】
【００１０】
【図１】  図１は指輪の斜視図である。
【図２】  図２は模様部分を拡大した部分図である。
【発明を実施するための形態】
【００１１】  図示した指輪は、そのリング本体１であって、その幅方向の中心部分に円周方向に伸びるトラック２上に、単位模様３を連続させた模様列４を刻設している。
【００１２】  そして、この実施形態では、上記単位模様３を十字状のクロスタイプにしているが、この単位模様３はどのようなものでもよい。例えば、ダイヤ形やハート形など、刻設するための型で表現できるものであればどのような形状でもかまわない。
【００１３】  また、１種類の単位模様３を連続させて模様列４を刻設したり、異なる単位模様３を周期的に繰り返して模様列４を刻設したりしてもよい。
【００１４】  さらに、模様列４を刻設するトラック２も、幅方向中心部分だけでなく、リング本体１の両側に２つ設けてもよいし、２つ以上複数設けてもよい。
【００１５】  そして、販売者側で複数種類の単位模様３を用意して、それを購買者に提示し、購買者がその単位模様３を選択する。
このとき模様列４を刻設するトラック２の位置も、購買者が決めるようにしている。
【００１６】  つまり、この実施形態においては、リング本体１の表面円周方向に連続的に刻設する複数種類の単位模様３を提示する模様提示プロセスは販売者によって行われる。
また、提示された単位模様３を選択する選択プロセスでは、購買者が好みに応じて単位模様３を決める。
【００１７】  そして、選択された単位模様３を用いてリング本体１の表面円周方向に模様列４を刻設するためトラック２の位置を特定するトラック位置特定プロセスでは、購買者が好みに応じて当該トラック２の位置を決める。
【００１８】  最後に、選択された単位模様３を所望のトラック２上に模様列４として連続的に刻設する加工プロセスを実行するが、これは販売者側が実行するものである。
【符号の説明】
【００１９】  １      リング本体
２      トラック
３      単位模様
４      模様列
【図１】
2013138821.tif 000003
【図２】
2013138821.tif 000004
(57)【要約】      （修正有）【課題】手指が麻痺して硬直した身体障害者でも持てる飲食器を提供する。【解決手段】飲食器の外周部に広い鍔２を付けて手指が麻痺して硬直した身体障害者でも持てるようにした。【選択図】図１
2013138861.tif 000002
【特許請求の範囲】
【請求項１】
外周部の任意の位置に広い鍔を付けた飲食器又は容器。
【請求項２】
外周部の上端と下端の間に広い鍔を付けた飲食器又は容器。
【請求項３】
外周部の上端に広い鍔を付けた飲食器又は容器。
【発明の詳細な説明】
【技術分野】
【０００１】本発明は、主に身体障害者向けの広い鍔を付けた飲食器に関するものである。
【背景技術】
【０００２】従来、身体障害者向けの持ちやすい飲食器はなかったので介護が必要であった。
【発明の概要】
【発明が解決しようとする課題】
【０００３】身体障害者で手指が麻痺して硬直している場合は握る力がないので従来の飲食器の形状では持ち上げることは出来ない。取っ手や窪みが付いていても同様である。どうしても介護者が必要になる。
【課題を解決するための手段】
【０００４】飲食器の外周部に釜のような広い鍔を付ける。
【発明の効果】
【０００５】例えば水の入ったカップを指に力を入れて掴むことは出来ないが、障害が比較的軽い場合、広い鍔の下に指を差し入れて腕の力で持ち上げ口に近づけて飲むことができる。又、握りの弱くなってきた高齢者等でも安定的に持てるようになる。飲食器以外の容器例えば薬瓶等も広い鍔が付いていれば自分で持ち上げることができる。
【図面の簡単な説明】
【０００６】
【図１】本発明の正面図。
【図２】本発明の平面図。
【図３】本発明の底面図。
【図４】本発明の正面図
【発明を実施するための形態】
【０００７】以下、本発明の実施の形態を図１〜図３に基づいて説明する。
【０００８】カップ１の外周部３の上端と下端の間に広い鍔２を付ける。
【０００９】使い捨ての紙コップなどの場合は、図４に示すような外周部の上端に広い鍔を付けたプラスチック製などのカップに入れて使用すると良い。
【００１０】つまり、飲食器又は容器の外周部の任意の位置に広い鍔を付ける。
【符号の説明】
【００１０】    １  カップ
２  鍔
３  カップの外周部
【図１】
2013138861.tif 000003
【図２】
2013138861.tif 000004
【図３】
2013138861.tif 000005
【図４】
2013138861.tif 000006
(57)【要約】【課題】本案は貼り薬の改良に関するものである。【解決手段】〔１〕任意形状に形成された貼り薬（１）に伸縮材（２）を接着する。〔２〕任意形状に形成された貼り薬（１）に伸縮材（２）を接着し伸縮材（２）の表面部に弾力材（３）を設ける。【選択図】図１
2013138819.tif 000002
【特許請求の範囲】
【請求項１】
〔１〕  任意形状に形成された貼り薬（１）に伸縮材（２）を接着する。
〔２〕  任意形状に形成された貼り薬（１）に伸縮材（２）を接着し伸縮材（２）の表面部に弾力材（３）を設ける。
【発明の詳細な説明】
【技術分野】
【０００１】本案は，貼り薬の改良に関するものである。
【背景技術】
【０００２】従来、貼り薬にあっては肩や腰の炎症を抑える為使用されているが、耳の周りの皮膚等の細部への貼り薬の貼り付けは困難であった。
【発明が解決しようとする課題】
【０００３】本案は，その欠点を除いて。耳の周りの皮膚等の細部への貼り薬の貼り付けを容易に行おうとするものである。
【課題を解決するための手段】
【０００４】〔１〕本案は任意形状に形成された貼り薬（１）に伸縮材（２）を接着する。〔２〕任意形状に形成された貼り薬（１）に伸縮材（２）を接着し伸縮材（２）の表面部に弾力材（３）を設ける。
【発明の効果】
【０００５】本案の貼り薬は上記の構成であるため耳の周りの皮膚等の細部に貼り薬の貼り付けを容易に行える。
【発明を実施するための最良の形態】
【０００６】本案は，以上のような構成であるから任意形状に形成された貼り薬（１）に伸縮材（２）を接着する。任意形状に形成された貼り薬（１）に伸縮材（２）を接着し伸縮材（２）の表面部に弾力材（３）を設ける。
【実施例１】
【０００７】本案は構成上図１に示すように、任意形状に形成された貼り薬（１）に伸縮材（２）を接着し耳の周りの皮膚等の細部に貼り薬を貼り付ける。
【実施例２】
【０００８】本案は構成上図２に示すように任意形状に形成された貼り薬（１）に伸縮材（２）を接着し伸縮材（２）の表面部に弾力材（３）を設け耳の周りの皮膚等の細部に貼り薬を貼り付ける。実験例としては貼り薬（１）は医療用テープ等を使用し貼り薬（１）に合成ゴム又は合成樹脂等で形成された伸縮材（２）を接着し伸縮材（２）の表面部にアルミ等の針金で形成された弾力材（３）を設ける。貼り薬（１）の長さとしては約１４センチ程度幅は２センチ程度で実験した伸縮材（２）の長さとしては約１４センチ程度幅は２センチ程度厚さは１ミリ程度で実験した弾力材（３）の長さとしては約１４センチ程度太さ１ミリ程度で実験した。又弾力材（３）を設ける場所としては伸縮材（２）の表面部だけでなく伸縮材（２）の裏面部や伸縮材（２）の内部に収納する構成も可能である。又弾力材（３）は一本だけでなく複数本使用するという構成も可能である。
【産業上の利用可能性】
【０００９】本案は上記のような構成上、耳の周りの皮膚のような細部に貼り薬を貼り付け症状を改善することができる。
【発明の効果】
【００１０】本案は上記のような構成上、耳の周りの血行不良が原因で起こる症状を改善することができる。
【図面の簡単な説明】
【００１１】
【図１】実施例１の断面図
【図２】実施例２の断面図
【図３】正面図
【符号の説明】
【００１２】１は貼り薬
２は伸縮材
３は弾力材
【図１】
2013138819.tif 000003
【図２】
2013138819.tif 000004
【図３】
2013138819.tif 000005
(57)【要約】      （修正有）【課題】頑丈な観賞用の透けた額縁ケースを作成する。【解決手段】同じ大きさの枠で、正面側の幅が広い枠９と正面側の幅が狭い枠５で構成され、幅の広い枠９で、狭い枠５の中に入れた幅のある板状の物体が枠５から落下しないようになっていて、幅の広い枠９と接していない幅の狭い枠５の側に、溝を設け、その溝１にへら状の長く細い板２を入れて、板２の両端、板２の適当な各部に、ネジで抑えられた、ネジ穴の開いた平たい金具で、板２が抑えられることにより、中に入れられた板状の物体が落ちない様にしたケース。【選択図】図１
2013138813.tif 000002
【特許請求の範囲】
【請求項１】
１．同じ大きさの枠で、２．正面側の幅が広い枠（９）と正面側の幅が狭い枠（５）で構成され、３．幅の広い枠（９）で、４．狭い枠（５）の中に入れた幅のある板状の物体が枠（５）から落下しないようになっていて、５．幅の広い枠（９）と接していない幅の狭い枠（５）の側に、６．図２の形状をした溝（１）を設け、７．その溝（１）に図２の形状のへら状の長く細い板（２）を入れて、８．図５のように、９．板（２）の両端、１０．板（２）の適当な各部に、１１．ネジ（３）で抑えられた、１２．ネジ穴の開いた平たい金具（４）で、１３．板（２）が抑えられることにより（図５）、１４．中に入れられた板状の物体が落ちない様にしたケース。
【発明の詳細な説明】
【技術分野】
【０００１】  本発明は、額縁などに入れられた板状の物体が中から落ちない様にする為の技術に属する。
【背景技術】
【０００２】  従来は、裏蓋を、ネジを枠にねじ込んで固定された押さえ具を、ネジを軸に回して、裏蓋側に出すことによって、裏蓋を押さえて、額縁などに入れられた板状の物体が中から落ちない様にしていた。
【発明の開示】
【発明が解決しようとする課題】
【０００３】  ネジを枠にねじ込んで固定された押さえ具を、ネジを軸に回して、裏蓋側に出すことによって、裏蓋を押さえて、額縁などに入れられた板状の物体が中から落ちない様にすると、ネジで開けられた穴が大きくなり、ネジによって作られたネジ講が、何回も使っていると、破壊され、ネジが使用できないことが発生した。【０００４】  また、いつネジ自身で作られたネジの固定のためのネジ穴が、破壊されるか、予想しにくかった。【０００５】  また、前から後ろを透かす方法が無かった。
【課題を解決するための手段】
【０００６】  図１の様に、６の中にネジ留めを入れ、ネジを締める前に、２を抑える金具（４）を入れることで、ネジ（３）と押さえ具（４）とネジ止めを交換することで、押さえのための機構も、修復が出来るようになった。【０００７】  ２を入れることにより、前から後ろを透かすことが出来るようになった。
【発明の効果】
【０００８】  枠の中に入れた、厚みのある板状の物も、がたつくことも無く、枠の付いた後ろが透けて見える鏡の様な、状態を作ることが出来た。
【発明を実施するための最良の形態】
【０００９】  何枚もの厚みのある透明板を重ねて、一枚目には紫外線カットの透明板を入れ、二枚目には普通の透明版を入れて、それと三枚目の透明版の間に飾っておきたい写真や切手などを入れて、観賞用に飾る。
【実施例】
【００１０】  図１、図２、図３、図４、図５は、発明の部分図である。
【産業上の利用可能性】
【００１１】  本発明は、丈夫であり、一般の人が個人的に、紙状の物を鑑賞する為のケースとして、産業上の価値は、高い。
【図面の簡単な説明】
【００１２】
【図１】  発明を正面斜めから見た部分図。
【００１３】
【図２】  幅の広い枠（９）のない状態の発明を後部斜めから見た部分図と押さえ具（４）で抑えるへら状の長板（２）の部分図。
【００１４】
【図３】  発明を真後ろから見た部分図。
【００１５】
【図４】  発明を真横から見、構成部品をばらした、図。
【００１６】
【図５】  発明を真後ろから見、構成部品を装着した、部分図。
【符号の説明】
【００１７】  １．溝
２．へら状の板
３．ネジ
４．押さえ具
５．枠
６．ネジ止め入れ
７．ネジ穴
８．２を溝に入れた状態
９．枠
【図１】
2013138813.tif 000003
【図２】
2013138813.tif 000004
【図３】
2013138813.tif 000005
【図４】
2013138813.tif 000006
【図５】
2013138813.tif 000007
(57)【要約】【課題】葡萄の実を手間なく、無駄なく食することが出来る器具を提供する。【解決手段】葡萄を食する時に用いる器具であって、上下に、葡萄の実を受ける半球状で、中央に切り欠きを有する容器と、半球状の容器の上に、容器の切り欠き部分を通過する刃部とを備え、上記容器は葡萄の実を挟み込めるように上下に開閉し、挟み込んだ葡萄の実を上記刃部で二分割にできるもので構成する。葡萄の房にある葡萄の実を、上下に開閉する半球状の容器で摘まみ取ることが出来る。【選択図】図１
2013138780.tif 000002
【特許請求の範囲】
【請求項１】
葡萄を食する時に用いる器具であって、
上下に、葡萄の実を受ける半球状で、中央に切り欠きを有する容器と、
半球状の容器の上に、容器の切り欠き部分を通過する刃部と、
を備え、
上記容器は葡萄の実を挟み込めるように上下に開閉し、挟み込んだ葡萄の実を上記刃部で二分割にできることを特徴とする葡萄の実の切開器具。
【発明の詳細な説明】
【技術分野】
【０００１】
本発明は、葡萄を食する時に、皮の剥き難い葡萄を、容易に食することが出来るための、葡萄の実の切開器に関する。
【背景技術】
【０００２】
従来、葡萄を食する際に使われる器具は、葡萄の皮剥きを目的としたものが知られている。そしてその構造としては、葡萄の皮に十の字状の切り込みをつけ指で皮を剥きやすくするもの、または葡萄の実にあわせた湾曲した薄い鉄板を葡萄の皮と実の間に挿入し、葡萄の実を回転させながら皮と実を分離するもの、などが知られている。
【０００３】
例えば特許文献１には、柄の長手方向の一方に刃部と他方にくり貫き部を有する器具が提案されている。
【特許文献１】特開２０１０−１４２６１８号公報
【発明の開示】
【発明が解決しようとする課題】
【０００４】
上述のように葡萄の皮に切り込みをつける、および湾曲した薄い鉄板で葡萄の実を回転させながら皮を剥く方法が知られている。
【０００５】
ところが葡萄を食する際に、切り込みを入れる、葡萄の実を回転させながら皮を剥くという二つの作業を行うことになり、食するまでに手間が掛かる。また葡萄の実は皮に近い部分の糖度が高く、湾曲した薄い鉄板で皮を剥く際に実の部分までそぎ落としてしまうことも考えられる。
【０００６】
そこで本発明者は、葡萄の実を手間なく、無駄なく食することが出来る器具を案出するに至った。
【０００７】
本発明は葡萄の実を簡単な方法で二分割にし、手間なく無駄なく食することが出来る器具の提供をその課題としている。
【課題を解決するための手段】
【０００８】
葡萄を食する時に用いる器具であって、上下に、葡萄の実を受ける半球状で、中央に切り欠きを有する容器と、半球状の容器の上に、容器の切り欠き部分を通過する刃部とを備え、上記容器は葡萄の実を挟み込めるように上下に開閉し、挟み込んだ葡萄の実を上記刃部で二分割にできるもので構成する。
【発明の効果】
【０００９】
本発明は、上下に開閉する半球状で中央に切り欠きを有する容器と、半球状の容器の上に容器の切り欠き部分を通過する刃部とを備え、上記容器は葡萄の実を挟み込めるように上下に開閉し、挟み込んだ葡萄の実を上記刃部で二分割にできる構成であるから次の効果を奏する。
【００１０】
葡萄の房にある葡萄の実を、上下に開閉する半球状の容器で摘まみ取ることが出来る。
【００１１】
また、摘まみ取られた葡萄の実は半球状の容器の中で固定され、半球状の容器の上にある刃部を容器の切り欠き部分を通過させることにより、葡萄の実を二分割に出来る。
【００１２】
二分割にされた葡萄の実は、半球状の容器を上下に開くことにより容器から容易に取り出すことが出来る。
二分割にされた葡萄の実は容易に食することが出来、同時に二分割にしたことで葡萄の種も容易に取り出すことが出来るため、葡萄の実を手間なく無駄なく食することが可能となる。
【図面の簡単な説明】
【００１３】
【図１】本発明に係わる葡萄の実切開器の説明図
【図２】図１の器具の使用形態を表す説明図
【図３】図１の器具の使用形態を表す説明図
【図４】図１の器具の使用形態を表す説明図
【図５】図１の器具の使用形態を表す説明図
【図６】図１の器具に於ける製作方法の一例を現す説明図
【図７】図１の器具に於ける製作方法の一例を現す説明図
【図８】図１の器具に於ける製作方法の一例を現す説明図
【図９】図１の器具に於ける製作方法の一例を現す説明図
【発明を実施するための最良の形態】
【００１４】
以下、図示の好適な実施の形態に基づいて本発明を詳述する。図１は、本発明に係わる葡萄の実切開器の説明図であり、図２〜図５は図１の器具の使用形態を示す説明図であり、図３は図１の器具の、製作方法の１例を示す説明図である。
［葡萄の実切開器の構成］
図１に示す葡萄の実切開器は、中央に切り欠きを有する容器１と、半球状の容器の上に、容器の切り欠き部分を通過する刃部２とから構成されている。
【００１５】
上記容器１は、上下で一対をなし、上下に開閉する構造となっている。
【００１６】
そして刃部２は、容器１の上部に位置し、容器１の切り欠き部分を通過できるように設けられている。
［作用の説明］
上述のように構成された葡萄の実切開器は、葡萄を食する際に使用される。使用態様について説明する。
【００１７】
図２に示すように、葡萄の実切開器を上下方向に開閉できる状態で手に持ち、葡萄の房から葡萄の実を容器１ではさみ込むようにし、容器１を閉じる方向に手で葡萄の実切開器を握る。
図３に示すように容器１が閉じられた状態となり葡萄の実は葡萄の房から切り離すことが出来る。
手で葡萄の実切開器を更に握りしめると、図４に示すように容器１の上部に設けられた刃部２が容器中央に設けられた切り欠き部を通過し、葡萄の実を切開する。
【００１８】
次いで、手で容器１を開く方向に作動させると、図５に示すように容器１及び刃部２は初期の位置に戻り、容器１の中で切断された葡萄の実を容易に取り出すことが出来る。
【００１９】
葡萄の実切開器は図６〜図９に示すように製作可能である。
図６に示すように鉄板をプレスで型抜きをする。
次いで図７に示すように刃部２を形成する部分を９０°回転させ刃部を成形する。
次いで図８に示すようにプレスで容器１を成形する。
次いで図９に示すように中央部で折り曲げ、両端にある容器１を、互いに向かい合わせた位置に成形する。
【符号の説明】
【００２０】
Ａ      葡萄の実切開器
１      容器
２      刃部
【図１】
2013138780.tif 000003
【図２】
2013138780.tif 000004
【図３】
2013138780.tif 000005
【図４】
2013138780.tif 000006
【図５】
2013138780.tif 000007
【図６】
2013138780.tif 000008
【図７】
2013138780.tif 000009
【図８】
2013138780.tif 000010
【図９】
2013138780.tif 000011
(57)【要約】      （修正有）【課題】指の先端部分や指の先端部分から第１番目の関節部分の炎症を抑えようとする貼り薬を提供する。【解決手段】任意形状に形成された貼り薬１を指の先端部分に装着する、貼り薬１を伸縮性のある貼り薬を使用し、弾力材２を非伸縮性のテープ等で形成し貼り薬１の表面部に接着する。弾力材２の材質は、非伸縮性のテープだけでなく非伸縮性であれば紐等や針金等の金属を貼り薬１の表面に接着剤等で貼り付ける構成も可能である。又弾力材２は貼り薬１の表面に接着するだけでなく貼り薬１の裏面に接着するという構成も可能である。この構成で非伸縮性の弾力材２の引っ張る力が指の先端部分に加わり、指の先端部分の血行を良くすることができる。【選択図】図４
2013138769.tif 000002
【特許請求の範囲】
【請求項１】
〔１〕任意形状に形成された貼り薬（１）を指の先端部分に装着する。
〔２〕任意形状に形成された貼り薬（１）の外側部に弾力材（２）を設け指の先端部分に装着する。
【発明の詳細な説明】
【技術分野】
【０００１】本案は，貼り薬の改良に関するものである。
【背景技術】
【０００２】従来、貼り薬にあっては肩や腰の炎症を抑える為使用されているが指の先端部分や指の先端部分から第１番目の関節部分の炎症を抑えにくかった
【発明が解決しようとする課題】
【０００３】本案は，その欠点を除いて，指の先端部分や指の先端部分から第１番目の関節部分の炎症を抑えようとするものである。
【課題を解決するための手段】
【０００４】〔１〕本案は任意形状に形成された貼り薬（１）を指の先端部分に装着する。〔２〕任意形状に形成された貼り薬（１）の外側部に弾力材（２）を設け指の先端部分に装着する。
【発明の効果】
【０００５】本案の貼り薬は上記の構成であるため指の先端部分の炎症や指の先端部分から第１番目の関節部分の炎症を抑える事が出来る。
【発明を実施するための最良の形態】
【０００６】本案は，以上のような構成であるから，任意形状に形成された貼り薬（１）を指の先端部分に装着する。又は任意形状に形成された貼り薬（１）の外側部に弾力材（２）を設け指の先端部分に装着する。
【実施例１】
【０００７】本案は構成上図１に示すように、任意形状に形成された貼り薬（１）を指の先端部分に装着する。上記の構成で指の先端部分と指の先端部分から第１番目の関節部分を貼り薬（１）の皮膚を引っ張る力を利用して、指の先端部分と指の先端部分から第１番目の関節部分の血行を良くする。
【実施例２】
【０００８】本案は構成上図４に示すように、任意形状に形成された貼り薬（１）を指の先端部分に装着する、貼り薬（１）を伸縮性のある貼り薬を使用し、弾力材（２）を非伸縮性のテープ等で形成し貼り薬（１）の表面部に接着する。前記の構成で非伸縮性の弾力材（２）の引っ張る力が指の先端部分に加わり、指の先端部分の血行を良くすることができる。又実験結果としては貼り薬（１）は指の先端部分と指の先端部分から第１番目の関節部分を装着できる長さと幅が良く縦の長さ８センチ程度、横の幅３センチ程度で実験した。又貼り薬（１）の材質としては医療用等の伸縮性テープ等を使用した。又実施例１に限っては貼り薬（１）は医療用等の伸縮性又は非伸縮性のテープを使用した。又実施例２の弾力材（２）の長さとしては縦の長さ８センチ程度横の幅２ミリ程度で実験した。又弾力材（２）の材質としては、非伸縮性のテープだけでなく非伸縮性であれば紐等や針金等の金属を貼り薬（１）の表面に接着剤等で貼り付ける構成も可能である。又弾力材（２）は貼り薬（１）の表面に接着するだけでなく貼り薬（１）の裏面に接着するという構成も可能である。
【産業上の利用可能性】
【０００９】本案は上記のような構成上、指の先端部分の炎症や指の先端部分から第１番目の関節部分の炎症を改善することができる。
【発明の効果】
【００１０】本案は上記のような構成上、指の先端部分の血行不良が原因で起こる症状、又指先から第１番目の間接の炎症が原因の血行不良が原因で起こる症状を改善することができる。
【図面の簡単な説明】
【００１１】
【図１】実施例１の正面図
【図２】実施例１の横断面図
【図３】実施例１の正面図
【図４】実施例２の正面図
【図５】実施例２の横断面図
【図６】実施例２の正面図
【符号の説明】
【００１２】１は貼り薬
２は弾力材
【図１】
2013138769.tif 000003
【図２】
2013138769.tif 000004
【図３】
2013138769.tif 000005
【図４】
2013138769.tif 000006
【図５】
2013138769.tif 000007
【図６】
2013138769.tif 000008